(57)【要約】【課題】  加熱されたグリル皿や昇温した前パネルなどに、指などが接触するのを防止できる加熱調理器の前扉を提供する。【解決手段】  ガスこんろ１に組み込まれたグリル５の前扉８であって、グリル５の調理庫内に出し入れ可能に配置されたグリル皿７に連結され、上側にガラス窓部１１を有し、下側には水平に延びる取っ手１５が設けられている。この取っ手１５の両端部に、前扉８の両側端（基部１２の両側端１２ｂ、１２ｂ）よりも突出した突出部１５ａ，１５ａを延設する。この突出部１５ａ，１５ａにより、指が加熱されたグリル皿７や、昇温した前パネル６などに接触することを防止する。【選択図】      図２
2006003041.tif 000002
【特許請求の範囲】
【請求項１】
ガスこんろに組み込まれた加熱調理器の前扉であって、前記加熱調理器の調理庫内に出し入れ可能に配置されたグリル皿に連結され、上側にガラス窓が設けられ、下側には水平に延びる取っ手が設けられた加熱調理器の前扉において、
前記取っ手の両端部に、前記前扉の両側端よりも突出した突出部を延設した、
ことを特徴とする加熱調理器の前扉。
【請求項２】
前記突出部を、前記前扉に隣接する操作ボタンに近接させ、この操作ボタンと前記取っ手とが一線上になるように前記取っ手を配置した、
ことを特徴とする請求項１に記載の加熱調理器の前扉。
【発明の詳細な説明】
【技術分野】
【０００１】
本発明は、ガスこんろに組み込まれる焼き物調理用グリルなどの加熱調理器の前扉に関し、特に、前扉の取っ手に関する。
【背景技術】
【０００２】
魚などの被調理物を調理するのに使用されるグリルのような加熱調理器は、例えばガスこんろの中央部に一体的に組み込まれている。この種のグリルとして、内部にガスバーナが設けられたグリル庫（調理庫）に、焼き網を載せたグリル皿と、グリル庫の前面開口を開閉する前扉とが連結して設けられ、前扉に設けられた取っ手を手前に引くことによって、グリル皿をグリル庫から引き出せるようにしたものが知られている（例えば、特許文献１参照。）。
【０００３】
このようなグリルの前扉は、上側にガラス窓が設けられ、下側には取っ手が設けられており、この取っ手は前扉の両側端まで水平に延び、その中央部に指を掛けたりする突出部が形成されている。
【特許文献１】特開平９−１７８１９６号公報
【発明の開示】
【発明が解決しようとする課題】
【０００４】
ところで、このようなグリルの前扉では、取っ手の両端部が前扉の両側端までしか延びておらず、前扉の両側面と取っ手の両端面とが同一面上に位置している。このため、前扉を開いた際に、取っ手の端部から指が内側（グリル庫側）に入り、加熱されたグリル皿などに誤って触れてしまう場合がある。また、ガスこんろの前パネルが金属製で、グリルの前扉と隣接する操作ボタンなどとの間に隙間がある場合、前扉の取っ手を持つ際にこの隙間に指などが入り、昇温した前パネルに触れてしまう場合がある。
【０００５】
そこで本発明は、加熱されたグリル皿や昇温した前パネルなどに、指などが接触するのを防止できる加熱調理器の前扉を提供することを目的とする。
【課題を解決するための手段】
【０００６】
上記目的を達成するために本発明は、加熱調理器の調理庫内に出し入れ可能に配置されたグリル皿に連結され、上側にガラス窓が設けられ、下側には水平に延びる取っ手が設けられた加熱調理器の前扉において、取っ手の両端部に、前扉の両側端よりも突出した突出部を延設したことを特徴としている。
（作用）
取っ手の両端部に突出部を延設したことにより、前扉を開いた際に、この突出部によって指が内側（グリル庫側）に入り込むのが防がれる。また、この突出部により、前扉と隣接する操作ボタンなどとの隙間が狭まり、この隙間に指などが入り込むのが防がれる。
【０００７】
また、突出部を、前扉に隣接する操作ボタンに近接させ、この操作ボタンと取っ手とが一線上になるように取っ手を配置したことを特徴としている。
（作用）
突出部を操作ボタンに近接させたことにより、操作ボタンとの隙間に指が入り込むことがなく、しかも、取っ手を操作ボタンと一線上に配置したことにより、取っ手と操作ボタンとの連続性や一体感が生じ、すっきりとした良好な外観が得られる。
【発明の効果】
【０００８】
本発明によれば、取っ手の両端部に突出部を延設したことにより、指がグリル庫側に入り込んで加熱されたグリル皿などに接触したり、前扉と操作ボタンなどとの隙間に指が入り込んで、昇温した前パネルに接触することを防止できる。
【発明を実施するための最良の形態】
【０００９】
以下、本発明を図示の実施形態に基づいて説明する。
【００１０】
図１は、本実施形態に係るガスこんろ１を示す斜視図であり、図２は、同ガスこんろ１の正面図である。
【００１１】
このガスこんろ１は、３つのこんろ２〜４とグリル（加熱調理器）５とを備え、グリル５はガスこんろ１を正面から見て中央部に組み込まれている。前パネル６は本実施形態では金属製で、表面には操作に関する表示が印刷されており、下側に、正面が四角形で同形状の点火ボタン（操作ボタン）２１〜２４が一直線上に配置されている。これらの点火ボタン２１〜２４は樹脂製の押しボタンで、第１点火ボタン２１は第１こんろ２を、第２点火ボタン２２は第２こんろ３を、第３点火ボタン２３は第３こんろ４を、第４点火ボタン２４はグリル５を点火または消火するものである。なお、これらの点火ボタン２１〜２４は、プッシュプッシュ機構方式のガスバルブを押すことで、ガスバーナを点火、消火するものである。
【００１２】
グリル５は、前面が開口した箱状のグリル庫（図示せず）の天井部にガスバーナが配置され、図３に示すように、焼き網（図示せず）を載せるグリル皿７と、グリル庫の前面開口を開閉する前扉８とが連結して設けられ、前扉８に設けられた取っ手１５を手前に引くことによって、グリル皿７をグリル庫から引き出せるようになっている。
【００１３】
グリル５の前扉８の背面（取っ手１５と反対側の面）下側には、金属棒で成形された概略四角い環状の皿受け９が取り付けられ、この皿受け９の凸部９ａがグリル皿７の固定穴７ｂに挿入された状態で、皿受け９の上にグリル皿７の左右縁部７ａの後方部が載置されている。また、皿受け９の後方（奥方）には下側に折り曲げられたスライド部９ｂが形成され、このスライド部９ｂがグリル庫の底板に接し、グリル皿７の左右縁部７ａの上面がグリル庫内の側壁に設けられたガイドに接するようになっている。そして、前扉８の取っ手１５を前後方向に動かすことによって、皿受け９のスライド部９ｂとグリル皿７の左右縁部７ａとが、それぞれグリル庫の底板とガイドに案内されながら、グリル皿７がグリル庫から出し入れされるようになっている。なお、グリル皿７に形成された挿入穴７ｃは、焼き網の足を挿入するための穴である。
【００１４】
前扉８は、上側のガラス窓部１１と下側の基部１２とから構成され、ガラス窓部１１は鉄板製のフレーム１３と耐熱ガラス製のガラス板１４とを有し、基部１２は耐熱樹脂製である。フレーム１３には窓穴１３ａが形成され、この窓穴１３ａを覆うようにガラス板１４がフレーム１３に嵌め込まれている。そして、基部１２の上端部１２ａでガラス板１４の下端部１４ａを押さえた状態で、ガラス窓部１１（フレーム１３）と基部１２とが背面からボルト締めされ（図示せず）、一体の前扉８が構成されている。
【００１５】
基部１２は一体成型品で、上端部１２ａの下に水平に延びる取っ手１５が形成されている。この取っ手１５は下側が開口しており、両端部から中央部に向かってその開口が大きくなるように形成され、この開口に指を掛けて前扉８を出し入れできるようになっている。この取っ手１５の両端部には、基部１２の両側端（前扉８の両側端）１２ｂ、１２ｂよりも突出した突出部１５ａ，１５ａが延設されており、一方の突出部１５ａは第２点火ボタン２２に近接し，他方の突出部１５ａは第３点火ボタン２３に近接されている。そして、図２に示すように、前扉８を閉じた状態で、取っ手１５と点火ボタン２１〜２４とが一直線上になるように取っ手１５が配置されている。また、取っ手１５の高さ（垂直方向の高さ）と点火ボタン２１〜２４の高さは同じ高さとなっており、さらに、前扉８を閉じた状態での取っ手１５と点火ボタン２１〜２４との突出量（前パネル６から突き出る量）が同じになるように、取っ手１５の形状が設計されている。これにより、前扉８を閉じた状態で、水平方向、高さ方向および、奥行き方向（前パネル６に垂直な方向）において、取っ手１５と点火ボタン２１〜２４とが一体的になるようになっている。
【００１６】
さらに、前扉８を閉じた状態で、ガラス窓部１１のガラス板１４の板面と、前パネル６の板面とが同一面上に位置するようにガラス板１４が配置され、かつ、突出部１５ａの背面が前パネル６に当接するように突出部１５ａが形成されている。そしてこれらによって、前パネル６，前扉８（ガラス板１４と取っ手１５）および点火ボタン２１〜２４にわたって段差が少なく、全体として一体的になるようになっている。
【００１７】
このような構成のグリル５の前扉８によれば、取っ手１５の両端部に突出部１５ａ，１５ａが延設されているため、前扉８を開いた際に、この突出部１５ａによって指が内側（グリル庫側）に入り込むのが防がれる。これにより、加熱されたグリル皿７や皿受け９、あるいは前扉８のフレーム１３などに指が接触するのを防止することができる。また、本実施形態では前パネル６が金属製であるため、調理時の熱が前パネル６に伝わり昇温してしまう。しかしながら、本実施形態に係わる前扉８によれば、取っ手１５の突出部１５ａ，１５ａによって、隣接する点火ボタン２２，２３との隙間が塞がれているため、この隙間に指が入り込んで昇温した前パネル６に接触してしまう、ということがない。
【００１８】
また、上記のように、前扉８を閉じた状態で、水平方向、高さ方向および、奥行き方向において、取っ手１５と点火ボタン２１〜２４とが一体的となるため、これらの連続性、一体感が生じ、すっきりとした良好な外観が得られる。しかも、前パネル６，前扉８および点火ボタン２１〜２４としても一体的になるため、ガスこんろ１を正面および側面から見た場合の全体としても、連続性、一体感が生じ、すっきりとした良好な外観が得られる。
【００１９】
ところで、本実施形態では、前パネル６の下側に点火ボタン２１〜２４が配置されているが、点火ボタンに限らず、その他の操作ボタンであってもよいことは勿論である。また、電気式の加熱調理器であっても、本発明を適用することができる。
【図面の簡単な説明】
【００２０】
【図１】本実施形態に係るガスこんろを示す斜視図。
【図２】本実施形態に係るガスこんろを示す正面図。
【図３】本実施形態に係るグリルの前扉とグリル皿などを示す斜視図。
【符号の説明】
【００２１】
１          ガスこんろ
２〜４      こんろ
５          グリル（加熱調理器）
６          前パネル
７          グリル皿
８          前扉
１１        ガラス窓部
１２        基部
１２ｂ      基部の側端（前扉の側端）
１３        フレーム
１４        ガラス板
１５        取っ手
１５ａ      突出部
２１〜２４  点火ボタン（操作ボタン）
【図１】
2006003041.tif 000003
【図２】
2006003041.tif 000004
【図３】
2006003041.tif 000005